(57)【特許請求の範囲】
【請求項１】
筐体の内部に配置され光軸に沿った光を出射する光源と、
前記筐体の上面に配置され上方に向かって照光する第１の照光部と、
前記筐体の上面に配置され側方に向かって照光する第２の照光部と、
前記光源の光を前記第１の照光部に導光する板状の第１の導光部と、
前記光源の光を前記第１の導光部を経て前記第２の照光部に導光する前記第１の導光部とは別体の板状の第２の導光部と、を備え、
前記第１の照光部は前記第１の導光部に一体に成形されており、
前記第２の照光部は前記第２の導光部に一体に成形されており、
前記光源は、前記第１の導光部に対し、光軸を所定角度傾けて配置されており、
前記第２の導光部の前記第１の導光部側の面は、前記第１の導光部の前記第２の導光部側の面よりも幅広に形成されていることを特徴とする照光構造。
【請求項２】
前記第１の導光部における前記第１の照光部と対向する底面に反射シートを設けたことを特徴とする請求項１に記載の照光構造。
【請求項３】
前記第２の照光部は、前記第２の導光部の上面の一側に沿って延びる第１の傾斜面から構成され、
前記第２の導光部における前記第２の照光部と対向する底面の両側部に第２の傾斜面を形成したことを特徴とする請求項１に記載の照光構造。
【請求項４】
前記第２の傾斜面に鏡面処理を施したことを特徴とする請求項３に記載の照光構造。
【請求項５】
前記第２の導光部の前記底面及び上面に反射シートを設けたことを特徴とする請求項３または４に記載の照光構造。
【請求項６】
前記第２の導光部の幅を前記第２の導光部の先端に向かうほど細くなるように形成したことを特徴とする請求項１から５のいずれか一項に記載の照光構造。
【請求項７】
前記第２の導光部の底面及び上面間の厚みを前記第２の導光部の先端に向かうほど厚くなるように形成したことを特徴とする請求項３から６のいずれか一項に記載の照光構造。
【請求項８】
前記第２の導光部における前記第１の導光部からの光を受光する受光面を、前記第１の導光部から発光する発光面よりも幅広に形成し、
前記第１の導光部を、前記光源側の面が前記光源の出射面に沿って延び、一側面が前記光源の光軸に沿って延びる、略台形の平面形状に形成したことを特徴とする請求項１から７のいずれか一項に記載の照光構造。
【請求項９】
請求項１から８のいずれか一項に記載の照光構造を備えることを特徴とする電子機器。
【請求項１０】
筐体の内部に配置され出射面から光軸に沿った光を出射する光源と、
前記筐体の上面に配置され上方に向かって照光する第１の照光部と、
前記筐体の上面に配置され側方に向かって照光する第２の照光部と、
前記光源の光を前記第１の照光部に導光する板状の第１の導光部と、
前記光源の光を前記第１の導光部を経て前記第２の照光部に導光する前記第１の導光部とは別体の板状の第２の導光部と、を備え、
前記光源は、前記第１の導光部に対し、光軸を所定角度傾けて配置されており、
前記第２の導光部は、
前記第２の照光部が一体に形成されており、
前記第１の導光部側を短辺とする略直角三角形の平面形状を有し、
底面及び上面間の厚みが先端に向かうほど厚くなるように形成されており、
前記第２の導光部を前記短辺に相当する面側から見ると、前記直角三角形の長辺に相当する面の上端部には第１の傾斜面が形成され、当該第１の傾斜面が前記第２の照光部として機能し、前記底面の両側部に第２の傾斜面が形成されており、
前記第１の導光部は、
上面に前記第１の照光部が一体に成形されており、
前記光源側の幅が前記第２の導光部側の幅よりも小さい略台形の平面形状を有し、
前記光源側の面が前記光源の出射面に沿って延びており、
前記第２の導光部の長辺側の面が前記光源の光軸に沿って延びており、
前記第２の導光部の前記第１の導光部側の面は、前記第１の導光部の前記第２の導光部側の面よりも幅広に形成されていることを特徴とする電子機器。
【発明の詳細な説明】
【技術分野】
【０００１】
本発明は、同じ光源で筐体上の２ヶ所を照光する照光構造と、その照光構造を備える電子機器に関する。
【背景技術】
【０００２】
情報端末において、液晶パネルを照光するために設けられた光源からの照射光の一部を放出し、その放出された光を受光し導光してキーボードを照光する技術が、特許文献１により知られている。
【特許文献１】特開２００２−４９４３９号公報
【発明の開示】
【発明が解決しようとする課題】
【０００３】
しかし、特許文献１のものでは、１つの光源を用いて、液晶パネルとキーボードとの上面を照光することができるものの、１つの光源を用いて、同じ筐体上において上面と側面に向かって照光させることはできなかった。
【０００４】
本発明の課題は、同じ光源を用いて、筐体上において上面と側面に向かって照光させることができるようにすることである。
【課題を解決するための手段】
【０００５】
以上の課題を解決するため、請求項１に記載の発明は、筐体の内部に配置され光軸に沿った光を出射する光源と、前記筐体の上面に配置され上方に向かって照光する第１の照光部と、前記筐体の上面に配置され側方に向かって照光する第２の照光部と、前記光源の光を前記第１の照光部に導光する板状の第１の導光部と、前記光源の光を前記第１の導光部を経て前記第２の照光部に導光する前記第１の導光部とは別体の板状の第２の導光部と、を備え、前記第１の照光部は前記第１の導光部に一体に成形されており、前記第２の照光部は前記第２の導光部に一体に成形されており、前記光源は、前記第１の導光部に対し、光軸を所定角度傾けて配置されており、前記第２の導光部の前記第１の導光部側の面は、前記第１の導光部の前記第２の導光部側の面よりも幅広に形成されている照光構造を特徴とする。
【００１０】
請求項２に記載の発明は、請求項１に記載の照光構造であって、前記第１の導光部における前記第１の照光部と対向する底面に反射シートを設けたことを特徴とする。
【００１１】
請求項３に記載の発明は、請求項１に記載の照光構造であって、前記第２の照光部は、前記第２の導光部の上面の一側に沿って延びる第１の傾斜面から構成され、前記第２の導光部における前記第２の照光部と対向する底面の両側部に第２の傾斜面を形成したことを特徴とする。
【００１２】
請求項４に記載の発明は、請求項３に記載の照光構造であって、前記第２の傾斜面に鏡面処理を施したことを特徴とする。
【００１３】
請求項５に記載の発明は、請求項３または４に記載の照光構造であって、前記第２の導光部の前記底面及び上面に反射シートを設けたことを特徴とする。
【００１４】
請求項６に記載の発明は、請求項１から５のいずれか一項に記載の照光構造であって、前記第２の導光部の幅を前記第２の導光部の先端に向かうほど細くなるように形成したことを特徴とする。
【００１５】
請求項７に記載の発明は、請求項３から６のいずれか一項に記載の照光構造であって、前記第２の導光部の底面及び上面間の厚みを前記第２の導光部の先端に向かうほど厚くなるように形成したことを特徴とする。
【００１７】
請求項８に記載の発明は、請求項１から７のいずれか一項に記載の照光構造であって、前記第２の導光部における前記第１の導光部からの光を受光する受光面を、前記第１の導光部から発光する発光面よりも幅広に形成し、前記第１の導光部を、前記光源側の面が前記光源の出射面に沿って延び、一側面が前記光源の光軸に沿って延びる、略台形の平面形状に形成したことを特徴とする。
【００１８】
請求項９に記載の発明は、請求項１から８のいずれか一項に記載の照光構造を備える電子機器を特徴とする。
請求項１０に記載の発明は、筐体の内部に配置され出射面から光軸に沿った光を出射する光源と、前記筐体の上面に配置され上方に向かって照光する第１の照光部と、前記筐体の上面に配置され側方に向かって照光する第２の照光部と、前記光源の光を前記第１の照光部に導光する板状の第１の導光部と、前記光源の光を前記第１の導光部を経て前記第２の照光部に導光する前記第１の導光部とは別体の板状の第２の導光部と、を備え、前記光源は、前記第１の導光部に対し、光軸を所定角度傾けて配置されており、前記第２の導光部は、前記第２の照光部が一体に形成されており、前記第１の導光部側を短辺とする略直角三角形の平面形状を有し、底面及び上面間の厚みが先端に向かうほど厚くなるように形成されており、前記第２の導光部を前記短辺に相当する面側から見ると、前記直角三角形の長辺に相当する面の上端部には第１の傾斜面が形成され、当該第１の傾斜面が前記第２の照光部として機能し、前記底面の両側部に第２の傾斜面が形成されており、前記第１の導光部は、上面に前記第１の照光部が一体に成形されており、前記光源側の幅が前記第２の導光部側の幅よりも小さい略台形の平面形状を有し、前記光源側の面が前記光源の出射面に沿って延びており、前記第２の導光部の長辺側の面が前記光源の光軸に沿って延びており、前記第２の導光部の前記第１の導光部側の面は、前記第１の導光部の前記第２の導光部側の面よりも幅広に形成されている電子機器を特徴とする。
【発明の効果】
【００１９】
本発明によれば、同じ光源を用いて、筐体上において上面と側面に向かって良好に照光させることができるようになる。
【発明を実施するための最良の形態】
【００２０】
以下、図を参照して本発明を実施するための最良の形態を詳細に説明する。
（実施形態）
図１は本発明を適用した電子機器の一実施形態の構成として携帯電話を示したもので、上筐体１と下筐体２は、二軸ヒンジ部３を介して結合されており、この二軸ヒンジ部３により縦方向に開閉自在で横方向にも開閉自在となっている。
【００２１】
そして、上筐体１の一側部に沿って、二軸ヒンジ部３のカバー４が一体に組み付けられている。このカバー４には、図示例では下側先端部のロゴによる上面開口部５と左側に沿ったスリットによる側面開口部６が形成されている。これらのロゴによる上面開口部５とスリットによる側面開口部６は、図１（ｂ）に示すように、照光可能となっている。
【００２２】
図２は上筐体１及びカバー４を示したもので、上筐体１内には、光源としてのＬＥＤ（Light Emitting Diode：発光ダイオード）７と、カバー４の上面開口部５及び側面開口部６に対応したロゴによる第１の照光部１１、及びスリット状の細長い第２の照光部２１と、ＬＥＤ７の光を第１の照光部１１に導光する第１の導光部１０と、ＬＥＤ７の光を第１の導光部１１を経て第２の照光部２１に導光する第２の導光部２０とが配置されている。
【００２３】
ＬＥＤ７は、着信を例えば７色等の発光色で順次点灯して報知するもので、図３に拡大して示すように、第１の導光部１０及び第２の導光部２０に対し光軸を所定角度傾けて配置されている。これにより、スリット状の細長い第２の照光部２１に対し光を斜めに当てて先端まで照光する。
【００２４】
第１の導光部１０は、例えば透明樹脂に光拡散材を混入した乳白色のもので、その上面にロゴによる第１の照光部１１を一体に成形して、底面には、光を反射させるためにブラスト処理を施している。この第１の導光部１０は、右側部が上筐体１の一側部のカバー４に沿った平行面１２で、左側部がＬＥＤ７の光軸に沿って平行する傾斜面１３に形成されている。そして、平行面１２上には庇１４が平行に形成されていて、傾斜面１３上にも庇１５が形成されている。この庇１５は庇１４と平行に形成されている。
【００２５】
以上、第１の導光部１０には、ブラスト処理した底面に、例えば白色の反射シート１６が貼り付けられていて、第１の照光部１１を除いて庇１４・１５を含む上面にも、例えば白色の反射シート１７が貼り付けられている。これら底面及び上面の反射シート１６・１７により反射効率をアップし、従って、導光効率がアップする。
【００２６】
次に、第２の導光部２０は、例えば透明樹脂に光拡散材を混入して上筐体１の色に合わせて着色したもので、その左上部に傾斜面による細長い第２の照光部２１を一体に成形している。この第２の導光部２０は、左側部がカバー４のスリットによる側面開口部６に沿った平行面２２で、右側部がＬＥＤ７の光軸に沿って平行する傾斜面２３に形成されている。
【００２７】
こうして、第２の導光部２０における第２の照光部２１と対向する側面が傾斜面２３による先細り形状に形成されている。これにより、第２の照光部２１への導光効率をアップしている。なお、傾斜面２３上の前後に取付ボス２４・２５が形成されている。
【００２８】
また、第２の導光部２０は、その底面及び上面間の厚みが先端に向かい次第に厚くなるように形成されている。具体的には、第２の導光部２０の上面が先端に向かうに従って徐々に高くなる傾斜面２６に形成されている。これにより、第２の照光部２１の先端までの導光効率をアップしている。
【００２９】
そして、第２の導光部２０は、第１の導光部１０からの光を受光する受光面が、第１の導光部１０から発光する発光面よりも幅広部２７に形成されている。なお、この幅広部２７は、第１の導光部１０の発光面と同じ厚みを有しているが、その下面側は、徐々に前下がりの傾斜面２８となっている。これにより、第１の導光部１０からの光を受光する受光面から第２の導光部２０内への導光効率をアップしている。
【００３０】
さらに、第２の導光部２０は、図４に示すように、左上部に傾斜面による細長い第２の照光部２１の右側が傾斜面３１となっていて上面（傾斜面２７）に連続している。また、第２の導光部２０は、底面の左右両側部が傾斜面３２・３３となっている。これら底面の左右両側部の傾斜面３２・３３には、光を反射させるために鏡面処理を施している。これにより、左上部に傾斜面による細長い第２の照光部２１への反射効率をアップし、従って、導光効率がアップする。
【００３１】
以上、第２の導光部２０には、その傾斜面２８を含む底面に、例えば銀色の反射シート３４が貼り付けられていて、傾斜面３１を含む上面にも、例えば白色の反射シート３５が貼り付けられている。これら底面及び上面の反射シート３４・３５により反射効率をアップし、従って、導光効率がアップする。
【００３２】
以上の照光構造を備える携帯電話は、図２（ａ）に示したように、上筐体１の一側部に沿った二軸ヒンジ部３のカバー４の下側先端部のロゴによる上面開口部５に、第１の導光部１０の上面のロゴによる第１の照光部１１が位置して、同じくカバー４の左側に沿ったスリットによる側面開口部６に、第２の導光部２０の左上部の傾斜面による細長い第２の照光部２１が位置している。
【００３３】
そして、着信によりＬＥＤ７が、例えば７色等の発光色で順次点灯すると、第１の導光部１０を通った光でその上面のロゴによる第１の照光部１１が発光する。従って、図１（ｂ）に示すように、ロゴによる上面開口部５から発光する。
【００３４】
同時に、第１の導光部１０を経て第２の導光部２０を通った光でその左上部の傾斜面による細長い第２の照光部２１が発光する。従って、図１（ｂ）に示すように、スリットによる側面開口部６から発光する。
【００３５】
図５は第１の導光部１０内の光路と第２の導光部２０内の光路を示したもので、図示のように、ＬＥＤ７からの発光は、第１の導光部１０内において、そのブラスト処理した底面、及び白色の反射シート１６により反射されると共に、上面の白色の反射シート１７によっても反射されて、第１の照光部１１を効率良く照光する。
【００３６】
そして、ＬＥＤ７からの発光は、第１の導光部１０から第２の導光部２０に光が導かれて、この第２の導光部２０内において、図５に示したように、その傾斜面２８を含む底面の銀色の反射シート３４により反射されると共に、第２の照光部２１の背面側の傾斜面３１を含む上面の白色の反射シート３５によっても反射されて、第２の照光部２１を効率良く照光する。
【００３７】
また、第２の導光部２０内においては、図４に示したように、ＬＥＤ７の光軸に沿って平行する右側部の傾斜面２３によって反射されると共に、底面の左右両側部の鏡面処理した傾斜面３２・３３によってもそれぞれ反射されて、第２の照光部２１をより効率良く照光する。
【００３８】
以上、実施形態の照光構造を備える携帯電話によれば、同じＬＥＤ７を用いて、上筐体１上においてカバー４上面のロゴによる上面開口部５に向かって、第１の導光部１０を通しその上面のロゴによる第１の照光部１１を良好に照光させることができると共に、カバー４側面のスリットによる側面開口部６に向かって、第２の導光部２０を通しその一側部の傾斜面による細長い第２の照光部２１を良好に照光させることができる。
【００３９】
しかも、第１の導光部１０に第１の照光部１１を一体成形して、第２の導光部２０に第２の照光部２１を一体成形したので、成形が容易であり、導光部と照光部の隙間をなくして導光効率の向上に寄与できる。
【００４０】
（変形例）
なお、以上の実施形態においては、携帯電話としたが、本発明はこれに限定されるものではなく、カメラ、ＰＤＡ、ノートパソコン、ウェアラブルパソコン、電卓、電子辞書など照光構造を備えた電子機器すべてに用いることができる。
また、導光部は実施形態のように別体でなくとも、一体成形されたものであっても良い。
さらに、実施形態では、ＬＥＤを光源としたが、他に光源としては適宜のものを採用しえる。
また、照光部及び導光部の形状等も任意であり、その他、具体的な細部構造等についても適宜に変更可能であることは勿論である。
【図面の簡単な説明】
【００４１】
【図１】本発明を適用した電子機器の一実施形態の構成を示すもので、携帯電話の消灯時を示した平面図（ａ）と、点灯時を示した平面図（ｂ）である。
【図２】図１の上筐体及びカバーを示した平面図（ａ）及び側面図（ｂ）である。
【図３】図２のカバー内の光源、照光部及び導光部を示した平面図（ａ）及び側面図（ｂ）である。
【図４】図３の第２の導光部の断面図である。
【図５】図３の導光部内の光路を示した側面図（ａ）及びその矢印Ｂ部の拡大図（ｂ）である。
【符号の説明】
【００４２】
１  上筐体
２  下筐体
３  二軸ヒンジ部
４  カバー
５  上面開口部
６  側面開口部
７  光源
１０  第１の導光部
１１  第１の照光部
１２  平行面
１３  傾斜面
１４  庇
１５  庇
１６  反射シート
１７  反射シート
２０  第２の導光部
２１  第２の照光部
２２  平行面
２３  傾斜面
２４  取付ボス
２５  取付ボス
２６  傾斜面
２７  幅広部
２８  傾斜面
３１  傾斜面
３２  傾斜面
３３  傾斜面
３４  反射シート
３５  反射シート
【図２】
0005267974.tif 000002
【図３】
0005267974.tif 000003
【図４】
0005267974.tif 000004
【図５】
0005267974.tif 000005
【図１】
0005267974.tif 000006